(57)【要約】  【課題】複数の通信端末間でプロファイル情報を簡単且つ安全に送受信して自動的に更新可能にする通信端末およびプロファイル情報交換方法を提供する。  【解決手段】通信端末１０は、通信処理部２１、セッション感知・確認部２２、プロファイル情報更新部２３、プロファイル情報保存部２４、プロファイル情報受信ポリシー設定部２５およびプロファイル情報送信ポリシー設定部２６を備えている。複数の通信端末１０Ａおよび１０Ｂ間でセッションパス１２が確立し、相互に相手を確認した後、セキュアパス１４で電話帳データ等のプロファイル情報を交換する。【選択図】図１
2006287370.tif 000002
【特許請求の範囲】
【請求項１】
相手端末との通信を行う通信処理部を備え、プロファイル情報を送受信可能な通信端末において、
セッションの開始や停止を感知・確認するセッション感知・確認部と、該セッション感知・確認部からの通知を受けてプロファイルデータを作成するプロファイル情報更新部と、プロファイル情報を保存するプロファイル情報保存部とを備え、相手端末との間でプロファイル情報の送受信を行うことを特徴とする通信端末。
【請求項２】
前記相手端末との間で送受信するプロファイル情報の送受信ポリシーを設定し、前記プロファイル情報更新部が問合せするプロファイル情報送受信ポリシー設定部を備えることを特徴とする請求項１に記載の通信端末。
【請求項３】
前記プロファイル情報は、電話帳データを含む個人情報であることを特徴とする請求項１又は２に記載の通信端末。
【請求項４】
無線により通話やデータの送受信を行う複数の通信端末間でプロファイル情報を送受信するプロファイル情報交換方法において、
前記複数の通信端末間でセッションの確立を感知するステップと、前記セッションが確立された複数の通信端末間でセキュアパスにより前記プロファイル情報を送受信するステップとを備えることを特徴とするプロファイル情報交換方法。
【請求項５】
前記プロファイル情報を、設定された受信又は送信ポリシーに基づいて作成するステップを備えることを特徴とする請求項４に記載のプロファイル情報交換方法。
【請求項６】
無線により通話やデータの送受信を行う複数の通信端末間でプロファイル情報を送受信するプロファイル情報交換方法において、
前記通信端末間で相手が確認できる通信形態で通信を行うステップと、該通信を行っていることを確認するステップと、該確認後にのみに前記プロファイル情報を交換するステップとを備えることを特徴とするプロファイル情報交換方法。
【請求項７】
前記相手が確認できる通信形態として、音声通信およびPTPを含むことを特徴とする請求項６に記載のプロファイル情報交換方法。
【請求項８】
前記通信端末間で通信が発生したとき、前記プロファイル情報に併せてフラグを付けて、プロファイル情報更新処理プロセスに入るか否かを示すことを特徴とする請求項６又は７に記載のプロファイル情報交換方法。
【発明の詳細な説明】
【技術分野】
【０００１】
本発明は携帯端末装置等の通信端末に関し、特に通信端末および複数の通信端末間におけるプロファイル情報交換方法に関する。
【背景技術】
【０００２】
携帯電話等の携帯端末装置は、そのサービスエリア内であれば、例え移動中であっても、何時でも且つ何処でもデータや音声の通信が可能であるので、極めて便利である。その利便性の故に、携帯端末装置は、広く普及している。また、その性能も、急速に高度化して、種々の新しい機能が加えられている。
【０００３】
携帯端末装置の使用者（ユーザ）は、そのプロファイル、即ち端末装置内に保有する電話帳等の各種設定情報を更新したい場合がある。この場合に、オフィス、自宅および携帯電話等の電子メールアドレス、電話番号および住所等の非常に多くのエントリをハンドリングする必要がある。そのために、斯かる情報の更新は非常に煩雑となり且つ時間を要する。更に、斯かる情報は、比較的頻繁に変更されるのが一般的である。この更新は、電子メールや電話その他の通知手段により通知を受ける都度、行われるのが一般的である。
【０００４】
斯かる情報を携帯端末装置間で交換して自動的に更新できれば便利である。携帯端末装置間でＰＩＷＦ（Proxy Inter-Working Function）等によりデータを交換する携帯電話間のデータ交換方法が開示されている（例えば、特許文献１参照。）。
【特許文献１】特開２００２−２９１０５３号公報（第３頁、第３図）
【発明の開示】
【発明が解決しようとする課題】
【０００５】
しかし、斯かる情報を携帯端末装置間で交換して自動的に更新しようとしても、相手の携帯端末装置がかかる情報をどのようなフォーマットで登録して保有しているか不明であるので、簡単に自動更新することは不可能である。更に、斯かる個人情報が誤って第三者に漏洩する恐れがあるので、セキュリティに配慮する必要がある。また、サーバ管理によるプロファイル情報放置サービスも考えられるが、利用権限を与えてもよい相手が時間や状況により変化するため、この変化に対応する認証方法が煩雑になり又は柔軟性に欠くという課題を有する。
【０００６】
本発明は、従来技術の上述した課題に鑑みなされたものであり、斯かる課題を解消又は軽減する通信端末およびプロファイル情報交換方法を提供することを主たる目的とする。
【課題を解決するための手段】
【０００７】
前述の課題を解決するため、本発明による通信端末およびプロファイル情報交換方法は、次のような特徴的な構成を採用している。
【０００８】
（１）相手端末との通信を行う通信処理部を備え、プロファイル情報を送受信可能な通信端末において、
セッションの開始や停止を感知・確認するセッション感知・確認部と、該セッション感知・確認部からの通知を受けてプロファイルデータを作成するプロファイル情報更新部と、プロファイル情報を保存するプロファイル情報保存部とを備え、相手端末との間でプロファイル情報の送受信を行う通信端末。
（２）前記相手端末との間で送受信するプロファイル情報の送受信ポリシーを設定し、前記プロファイル情報更新部が問合せするプロファイル情報送受信ポリシー設定部を備える上記（１）の通信端末。
（３）前記プロファイル情報は、電話帳データを含む個人情報である上記（１）又は（２）の通信端末。
（４）無線により通話やデータの送受信を行う複数の通信端末間でプロファイル情報を送受信するプロファイル情報交換方法において、
前記複数の通信端末間でセッションの確立を感知するステップと、前記セッションが確立された複数の通信端末間でセキュアパスにより前記プロファイル情報を送受信するステップとを備えるプロファイル情報交換方法。
（５）前記プロファイル情報を、設定された受信又は送信ポリシーに基づいて作成するステップを備える上記（４）のプロファイル情報交換方法。
（６）無線により通話やデータの送受信を行う複数の通信端末間でプロファイル情報を送受信するプロファイル情報交換方法において、
前記通信端末間で相手が確認できる通信形態で通信を行うステップと、該通信を行っていることを確認するステップと、該確認後にのみに前記プロファイル情報を交換するステップとを備えるプロファイル情報交換方法。
（７）前記相手が確認できる通信形態として、音声通信およびＰＴＰを含む上記（６）のプロファイル情報交換方法。
（８）前記通信端末間で通信が発生したとき、前記プロファイル情報に併せてフラグを付けて、プロファイル情報更新処理プロセスに入るか否かを示す上記（６）又は（７）のプロファイル情報交換方法。
【発明の効果】
【０００９】
本発明の通信端末およびプロファイル情報交換方法によると、次の如き実用上の顕著な効果が得られる。即ち、通信端末における電話帳エントリ等の、頻繁に変更されるプロファイル情報を安全且つ自動的に更新することが可能である。また、通信相手を確認してプロファイル情報を送受信するので、セキュリティが維持可能である。
【実施例】
【００１０】
以下、本発明による通信端末およびプロファイル情報交換方法の好適実施例の構成および動作を、添付図面を参照して詳細に説明する。
【００１１】
先ず、図１は、本発明による複数の通信端末間でのプロファイル情報交換を行う情報交換システムの基本原理を説明する説明図である。
【００１２】
図１には、２台の通信端末１０Ａおよび１０Ｂと、これら２台の通信端末１０Ａおよび１０Ｂ間のセッションパス１２およびセキュアパス１４を示す。セッションパス１２は、２台の通信端末１０Ａおよび１０Ｂ間で何らかの通信によるセッション（即ち、２つのシステム間でデータをやり取りするために設定する、通信の論理的な接続関係）が確立されたパス（通信路）である。
【００１３】
２台の通信端末１０Ａおよび１０Ｂ間でセッションパス１２が確立されたことを、これら２台の通信端末１０Ａおよび１０Ｂがセッション感知部により感知する。
そこで、通信端末１０Ａおよび１０Ｂの内部機能により、新たにセキュアパス１４が確立される。そして、このセキュアパス１４を介して、通信端末１０Ａおよび１０Ｂ間で内部に保存されているプロファイル情報を相互に交換する。
【００１４】
次に、図２は、図１中の通信端末１０（即ち、１０Ａ又は１０Ｂ）のプロファイル情報交換に関連する部分の機能ブロック図である。この図２のブロック図を参照して、本発明による通信端末１０の構成および動作を説明する。
【００１５】
この通信端末１０は、通信処理部２１、セッション感知・確認部２２、プロファイル情報更新部２３、プロファイル情報保存部２４、プロファイル情報受信ポリシー設定部２５およびプロファイル情報送信ポリシー設定部２６により構成される。
【００１６】
ここで、通信処理部２１は、セッション感知・確認部２２に接続されている。そして、このセッション感知・確認部２２は、プロファイル情報保存部２４、プロファイル情報受信ポリシー設定部２５およびプロファイル情報送信ポリシー設定部２６と共にプロファイル情報更新部２３と相互接続（又は双方向接続）されている。
【００１７】
通信端末１０を構成する各機能部２１〜２６の主要機能を説明する。通信処理部２１は、外部（例えば、他の通信端末）との通信（即ち、データの送受信）を行う。セッション感知・確認部２２は、他の通信端末との間のセッションの開始や停止（又は終了）を感知する。そして、セッションの開始や停止を感知すると、プロファイル情報更新部２３にその旨のメッセージを通知する。
【００１８】
プロファイル情報更新部２３は、上述したセッションの開始や停止の通知を受けると、そのメッセージが受信用か又は送信用かを判断する。受信の場合には、プロファイル情報受信ポリシー設定部２５に問い合わせる。一方、送信用の場合には、プロファイル情報送信ポリシー設定部２６に問い合わせる。そして、プロファイル情報更新部２３は、適切な更新処理をプロファイル情報保存部２４に対して行う。
【００１９】
プロファイル情報保存部２４は、更新処理が送信の場合には、自分のプロファイルデータ（即ち、通信端末１０内部に保存されたプロファイルデータを送信ポリシーに基づいて作成し、プロファイル情報更新部２３に伝えるか又は通信処理部２１に直接送信要求する。一方、更新処理が受信の場合には、受信ポリシーに基づいてプロファイルデータを作成してプロファイル情報保存部２４のプロファイルデータを適切に変更して保存する。
【００２０】
次に、具体例に基づいて詳細に説明する。上述の如く、このプロファイル情報交換システムはプロファイル情報を保持可能な２台以上の通信端末（例えば、通信端末１０Ａおよび１０Ｂ）により構成され、必要に応じて以下の諸機能（１）〜（１１）を備えている。
【００２１】
（１）自己のエントリＩＤを発行する機能
（２）開示する相手や情報そのものを設定する機能
（３）開示する相手とのセッションが開かれている又は開かれていたことを確認する機能
（４）開示する相手と開示する情報の確認をユーザに行う機能
（５）開示する時や状況に合わせて、ＩＤを変更又は拡張する機能
（６）相手のエントリＩＤを確認する機能
（７）相手の情報を受け取った場合に、どのように動作するかを予め設定しておく機能
（８）相手の情報を受け取った場合に、ユーザに対してどのように処理するかを確認する機能
（９）エントリＩＤに基づいてその情報を更新・格納する機能
（１０）セッション後にエントリの更新を行うような場合は、時間等の情報を含めたセッションＩＤ、要求番号を付けて送信する機能
（１１）セッション後のエントリ受信の場合には、それが確実に以前開いていたセッションのときの更新情報であるか否かを確認する機能
【００２２】
次に、本発明によるプロファイル情報交換方法の動作を説明する。いま、２台の通信端末１０Ａおよび１０Ｂがあり、これら通信端末１０Ａおよび１０Ｂ同士が何らかの共通するセッションに属しているものとする。この共通するセッションには、音声通信、ＰＴＰ（Peer To Peer）等の相手を確認できるような通信形態を有するものとする。このとき、電話帳データ等の個人情報の交換を行うが、これには次の如き、幾つかのステップがある。
【００２３】
通信端末１０Ａおよび１０Ｂ間の通信が発生したとき、情報更新処理のプロセスに入るか否かのフラグをプロファイル情報に併せ持つ。そして、情報更新端末側の使用者が希望するとき、プロファイル情報の元データ提供側端末に対して更新情報の提供依頼を行う。次に、元データのうち更新されている情報と比較して、元データ提供端末のユーザの許可操作の上で許可された項目のみ更新データを送る。
【００２４】
更新データを送る場合や、セッション中の相手を確認する場合に、次のような方法をとることもあり得る。カードインターフェイス等を通じて通信端末間のセキュアな直接通信が発生したときにのみ交換を行う。プロファイル情報フィールドには、プロファイルを提供する側の情報提供端末の認証識別子が記載され、プロファイル情報更新のための端末識別を行う。これに代えて、通信時にプロファイル情報更新の要求を要求番号と共に受け付けて、後に電子メール、ＳＭＳ（Short Message Service）等の通信手段により要求番号および更新情報を送付する。
【００２５】
以上、本発明による通信端末およびプロファイル情報交換方法の好適実施例について詳述した。しかし、斯かる実施例は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【図面の簡単な説明】
【００２６】
【図１】本発明による通信端末間のプロファイル情報交換方法の基本原理を説明する図である。
【図２】本発明による通信端末の詳細構成を示す機能ブロック図である。
【符号の説明】
【００２７】
１０Ａ、１０Ｂ  通信端末
１２            セッションパス
１４            セキュアパス
２１            通信処理部
２２            セッション感知・確認部
２３            プロファイル情報更新部
２４            プロファイル情報保存部
２５            プロファイル情報受信ポリシー設定部
２６            プロファイル情報送信ポリシー設定部
【図１】
2006287370.tif 000003
【図２】
2006287370.tif 000004